(57)【要約】  【課題】デスク等の家具自体にディスプレイ支持具を取り付けるための別途特別な加工を施すことなく、簡単に設置することが可能な汎用性に優れたディスプレイ支持装置を提供する。  【解決手段】デスクトップパネルＰに設けたフック孔Ｐａを利用してデスクＤに着脱可能に取り付けられる棚板部Ｔと、基端部をこの棚板部Ｔに取り付け且つ先端部にディスプレイＬを支持するディスプレイ支持部Ｂ２を設けたディスプレイ支持具Ｂとを備えたものとした。【選択図】図１
2006204705.tif 000002
【特許請求の範囲】
【請求項１】
オプション部材を取り付けるためのオプション部材取付部を設けた家具にディスプレイを取り付ける際に用いられるディスプレイ支持装置であり、
前記オプション部材取付部を利用して前記家具に着脱可能に取り付けられるオプション部材と、
基端部を当該オプション部材に取り付け且つ先端部に前記ディスプレイを支持するディスプレイ支持部を設けたディスプレイ支持具とを具備していることを特徴とするディスプレイ支持装置。
【請求項２】
前記家具がデスク本体にデスクトップパネルを設けたデスクであり、前記オプション部材が前記デスクトップパネルに取付可能な棚板部である請求項１記載のディスプレイ支持装置。
【請求項３】
前記デスクトップパネルに対する前記ディスプレイ支持具の高さ位置を変更可能な高さ位置変更手段を設け、
前記棚板部が、前記ディスプレイ支持具を支持する棚板本体と、当該棚板本体を支持し且つ前記オプション部材取付部に取付可能なブラケットとを具備してなり、
前記高さ位置変更手段が、前記ブラケットを、前記デスクトップパネルの高さ方向に沿って所定のピッチで複数形成した前記オプション部材取付部の何れかに選択的に取り付けることにより前記棚板本体に支持された前記ディスプレイ支持具の前記デスクトップパネルに対する高さ位置を変更可能にしたものである請求項１又は２記載のディスプレイ支持装置。
【請求項４】
前記棚板本体の裏面に棚板本体の巾方向に沿って一又は複数の溝を形成する一方、前記ディスプレイ支持具の基端部に前記溝に係合する一又は複数の係合爪を設け、この係合爪を前記溝に係合させた状態で前記ディスプレイ支持具を前記溝に沿ってスライド移動させることにより、前記ディスプレイ支持具の前記棚板本体に対する取付位置を変更可能にしている請求項３記載のディスプレイ支持装置。
【請求項５】
前記家具が収納庫であり、前記オプション部材が前記収納庫の背面部に取り付けられる化粧板部である請求項１記載のディスプレイ支持装置。
【発明の詳細な説明】
【技術分野】
【０００１】
本発明は、家具にディスプレイを取り付ける際に用いられるディスプレイ支持装置に関するものである。
【背景技術】
【０００２】
近年の液晶ディスプレイ（ＬＣＤ：ｌｉｑｕｉｄ  ｃｒｙｓｔａｌ  ｄｉｓｐｌａｙ）の普及に伴い、このようなディスプレイをデスク等の家具に関連付けて支持するディスプレイ支持具が種々考えられている。例えば、非特許文献１に示すディスプレイ支持具は、デスク上に立設したデスクトップパネルに取付可能なものである。具体的には、デスクトップパネルにその巾方向に延びる長溝又は横架フレーム材を高さ方向に沿って所定ピッチで設け、これら複数の長溝又は横架フレーム材から選択した一又は複数の長溝又は横架フレーム材にディスプレイ支持具の基端部を取り付けることにより、デスクトップパネルに支持させたものである。
【非特許文献１】「コクヨオフィスファニチャー編２００５度版」、コクヨファニチャー株式会社等、２００４年１２月発行、Ｐ．７２の中段に示されているデスクトップパネル及び液晶ディスプレイアーム）
【発明の開示】
【発明が解決しようとする課題】
【０００３】
しかしながら、前記非特許文献１記載のディスプレイ支持具は、このディスプレイ支持具を取り付けるために、デスクトップパネルに前記複数の長溝又は横架フレーム材といった専用の取付部を設ける必要があり、このディスプレイ支持具を導入するに際し、前記専用の取付部を設けた特別仕様のデスクトップパネルを用意（購入）しなければならないため、導入コストが嵩み、汎用性に乏しいという不具合がある。一方、汎用のデスクトップパネルは、その両端部に目地を形成し、この目地に高さ方向に沿って所定ピッチでフック孔を設け、このフック孔を利用して棚板等各種オプション部材を取付可能にしているのが通例であり、このような汎用のデスクトップパネルにもディスプレイ支持具を取り付けることができれば好適である。
【０００４】
また、オフィス等の居住空間に背面部を壁等から離間した状態で収納庫を設置した場合、この収納庫の背面側は家具的な機能を有さず、有効性に乏しい。そこで、このような収納庫の背面側にディスプレイを取り付けることにより、収納庫の背面側の空間を執務スペースやミーティングスペースとして活用することができれば好適である。しかしながら、ディスプレイを支持するディスプレイ支持具を取り付けるための専用の取付部を収納庫に設ける必要があり、前記デスクの場合と略同様の不具合が生じる。
【０００５】
本発明は、このような課題に着目してなされたものであって、主たる目的は、デスク等の家具自体にディスプレイ支持具を取り付けるための別途特別な加工を施す必要がなく、汎用の家具に取り付けることが可能なディスプレイ支持装置を提供することにある。
【課題を解決するための手段】
【０００６】
すなわち、本発明のディスプレイ支持装置は、オプション部材を取り付けるためのオプション部材取付部を設けた家具にディスプレイを取り付ける際に用いられるものであり、前記オプション部材取付部を利用して前記家具に着脱可能に取り付けられるオプション部材と、基端部をこのオプション部材に取り付け且つ先端部に前記ディスプレイを支持するディスプレイ支持部を設けたディスプレイ支持具とを具備していることを特徴とする。
【０００７】
このようなものであれば、オプション部材にディスプレイ支持具を取り付けた状態で、このオプション部材を家具に設けた既存のオプション部材取付部を利用して家具に取り付けることによりディスプレイ支持具を家具に簡単にセットすることができる。その結果、家具自体にディスプレイ支持具を取り付けるための専用の取付部を別途設ける必要がなく、オプション部材取付部さえ設けた家具であればどのような家具にもディスプレイ支持具を好適に取り付けることが可能となり、広い汎用性を付与することができる。また、オプション部材を家具に取り付ける従来の取付構造をそのまま採用することが可能であるため、ディスプレイ支持装置自体の取付作業も極めて簡単に行なうことができる。
【０００８】
具体的な実施態様としては、前記家具がデスク本体にデスクトップパネルを設けたデスクであり、前記オプション部材が前記デスクトップパネルに取付可能な棚板部であるものが挙げられる。この場合、デスクトップパネルとして、棚板部を取り付けるための取付部を設けた汎用のものを採用することができ、デスクトップパネルにディスプレイ支持具を取り付けるための専用取付部を設ける必要がない。
【０００９】
特に、前記デスクトップパネルに対する前記ディスプレイ支持具の高さ位置を変更可能な高さ位置変更手段を設け、前記棚板部が、前記ディスプレイ支持具を支持する棚板本体と、この棚板本体を支持し且つ前記オプション部材取付部に取付可能なブラケットとを具備してなり、前記高さ位置変更手段が、前記ブラケットを、前記デスクトップパネルの高さ方向に沿って所定のピッチで複数形成した前記オプション部材取付部の何れかに選択的に取り付けることにより前記棚板本体に支持された前記ディスプレイ支持具の前記デスクトップパネルに対する高さ位置を変更可能にしたものであれば、既存の取付構造を利用して前記デスクトップパネルに対する棚板部の高さ位置を変更することにより、前記デスクトップパネルに対する前記ディスプレイ支持具の高さ位置を容易に変更することができる。
【００１０】
また、前記棚板本体の裏面に棚板本体の巾方向に沿って一又は複数の溝を形成する一方、前記ディスプレイ支持具の基端部に前記溝に係合する一又は複数の係合爪を設け、この係合爪を前記溝に係合させた状態で前記ディスプレイ支持具を前記溝に沿ってスライド移動させることにより、前記ディスプレイ支持具の前記棚板本体に対する取付位置を変更可能にすれば、使用態様に柔軟に対応させることができる。
【００１１】
他の具体的な実施態様としては、前記家具が収納庫であり、前記オプション部材が前記収納庫の背面部に取り付けられる化粧板部であるものが挙げられる。このようなものであれば、汎用の収納庫の背面部にディスプレイ支持装置を簡単にセットすることができ、この収納庫の背面側にデスクを設置することにより、この収納庫の背面側を執務スペースとして有効利用することができる。
【発明の効果】
【００１２】
以上説明したように本発明によれば、家具にオプション部材を取り付けるためのオプション部材取付部さえ設けていれば、このオプション部材取付部を利用してオプション部材を取り付けることにより、ディスプレイ支持具をも家具に簡単に設置することができる。すなわち、家具にディスプレイ支持具専用の取付部を別途設ける必要がなく、家具自体の構造簡素化を有効に図るとともに、汎用性に富むディスプレイ支持装置を提供することができる。また、オプション部材を家具に取り付ける周知の取付構造をそのまま採用することが可能であるため、ディスプレイ支持装置自体の取付作業も極めて簡単に行うことができる。
【発明を実施するための最良の形態】
【００１３】
以下、本発明の実施形態を、図面を参照して説明する。
【００１４】
〈第１実施形態〉
第１実施形態では、図１に示すように、本発明に係るディスプレイ支持装置Ｘを用いてデスク本体Ｄ１にデスクトップパネルＰを設けたデスクＤに、ディスプレイＬ（例えば液晶ディスプレイ：ＬＣＤ）を取り付けている。
【００１５】
先ず、デスクＤについて簡単に説明する。
【００１６】
このデスクＤは、図１及び図２（なお、図２は図１の一部を拡大して示す模式図である）に示すように、対向配置された複数の脚部Ｄ１１と、脚部Ｄ１１間に架け渡されたデスク用フレーム構造体Ｄ１２と、デスク用フレーム構造体Ｄ１２に支持された一対の天板Ｄ１３とを備えたデスク本体Ｄ１と、前記一対の天板Ｄ１３の反使用端同士の間に起立姿勢で設けたデスクトップパネルＰとを備えた対面式タイプのものである。
【００１７】
デスクトップパネルＰは、パネル用フレーム構造体Ｐ１の前後面にパネル板Ｐ２を取り付けたものであり、両側縁部近傍部位においてパネル用フレーム構造体Ｐ１を表出させてなる目地を形成し、この目地に高さ方向に沿って本発明のオプション部材取付部たるフック孔Ｐａを所定ピッチで複数形成した汎用のものである（図２参照）。そして、このフック孔Ｐａを利用して後述する棚板部Ｔや図示しないタスクライト或いはアーム付き電話代、アームトレー等の各種オプション部材を取付可能に構成している。なお、本実施形態におけるデスクＤは、天板Ｄ１３下の下肢空間に配線コード等を載置可能なコード受けＤ１４を前記デスク用フレーム構造体Ｄ１２に関連付けて取り付けている。
【００１８】
このようなデスクＤに取付可能なディスプレイ支持装置Ｘは、デスクトップパネルＰに着脱可能に取り付けられるオプション部材たる棚板部Ｔと、基端部を棚板部Ｔに取り付け且つ先端部にディスプレイＬを支持するディスプレイ支持部Ｂ２を設けたディスプレイ支持具Ｂとを備えたものである。
【００１９】
棚板部Ｔは、図１及び図２に示すように、概略平板状をなす棚板本体Ｔ１と、この棚板本体Ｔ１の両側縁部を支持する一対のブラケットＴ２とから構成したものである。ブラケットＴ２は、図２に示すように、板金素材の塑性変形加工等により形成したものであり、棚板本体Ｔ１の側縁部裏面に当接し得る当接片Ｔ２１と、この当接片Ｔ２１の外側方の側縁から垂下してなる垂下片Ｔ２２とを備えている。垂下片Ｔ２２の後縁部には、後方に突出した一の上向き係合爪Ｔ２２ａと、同じく後方に突出した一対の下向き係合爪Ｔ２２ｂとを垂下片Ｔ２２の高さ方向に沿って所定ピッチで一体に形成し、これら上向き係合爪Ｔ２２ａ及び一対の下向き係合爪Ｔ２２ｂが、前記デスクトップパネルＰに設けた複数のフック孔Ｐａの何れかにそれぞれ係合し得るように設定している。このような構成を有するブラケットＴ２と棚板本体Ｔ１とは、棚板本体Ｔ１の裏面における両側縁部にブラケットＴ２の当接片Ｔ２１を宛がい、当接片Ｔ２１に形成した複数の貫通孔Ｔ２１ａにそれぞれ挿入したネジを棚板本体Ｔ１の裏面に螺着する等の適宜の手段により一体的に取り付けている。
【００２０】
ディスプレイ支持具Ｂは、図３及び図４（図４（ａ）は図３のＡ矢視図であり、図４（ｂ）は図３のＡ´矢視図である）に示すように、基端部に設けられ且つ棚板の前端側の裏面に当接し得るベースＢ１と、先端部に設けられ且つディスプレイＬの背面に当接し得るディスプレイ支持部Ｂ２と、ベースＢ１とディスプレイ支持部Ｂ２との間に設けられベースＢ１とディスプレイ支持部Ｂ２との相対位置や相対角度を調整可能なアーム部Ｂ３とを備えたものである。
【００２１】
ベースＢ１は、例えば概略矩形状をなす金属製のものであり、四隅近傍部位に貫通孔Ｂ１ａを形成するとともに、略中央部にネジ孔Ｂ１ｂを複数形成し、このネジ孔Ｂ１ｂを利用してアーム部Ｂ３の基端部に取付可能に設定している。
【００２２】
ディスプレイ支持部Ｂ２は、ディスプレイＬの裏面に当接し得る裏当て部Ｂ２１と、裏当て部Ｂ２１に包囲され後方に窪ませた凹部Ｂ２２とを形成した板金素材からなるものであり、この凹部Ｂ２２に設けた貫通孔に挿入したボルトＢ２３を利用してアーム部Ｂ３の先端部に取付可能に設定している。
【００２３】
アーム部Ｂ３は、ベースＢ１側に配される第１アーム部材Ｂ３１と、ディスプレイ支持部Ｂ２側に配され且つ第１アーム部Ｂ３と分離不能に連結された第２アーム部材Ｂ３２とを備え、第１アーム部材Ｂ３１の第１軸Ｂ３１ａ及び第２アーム部材Ｂ３２の第２軸Ｂ３２ａ（図４（ａ）参照）を介して第１アーム部材Ｂ３１と第２アーム部材Ｂ３２との相対位置や相対角度を調整可能に設定した周知のものである。第１アーム部材Ｂ３１の基端部にベースＢ１のネジ孔Ｂ１ｂに対応した貫通孔Ｂ３１ｂを設け、この貫通孔Ｂ３１ｂに挿入したネジＢ３１ｃ（図４（ａ）にパターンで付して示している部材）をベースＢ１のネジ孔Ｂ１ｂに螺着することにより第１アーム部材Ｂ３１をベースＢ１部に取り付けるとともに、第２アーム部材Ｂ３２の先端部にディスプレイ支持部Ｂ２の凹部Ｂ２２に設けた貫通孔に対応するナットを設け、貫通孔に挿入したボルトＢ２３をディスプレイ支持部Ｂ２のナットに螺着することにより第２アーム部材Ｂ３２をディスプレイ支持部Ｂ２に取り付けている。
【００２４】
このような構成を有するディスプレイ支持具Ｂは、第１アーム部材Ｂ３１の第１軸Ｂ３１ａ及び第２アーム部材Ｂ３２の第２軸Ｂ３２ａを利用してこれらアーム部材Ｂ３１、Ｂ３２の相対位置や相対角度を変更することによって、ベースＢ１とディスプレイ支持部Ｂ２との相対位置や相対角度を調整できるものである。
【００２５】
このディスプレイ支持具Ｂを棚板部Ｔに取り付けるには、先ず、ベースＢ１を棚板本体Ｔ１の裏面における前端側に当接させ、この状態でベースＢ１の四隅近傍部位に形成した貫通孔Ｂ１ａに挿入したネジＢ１ｃを棚板本体Ｔ１に螺着することにより行う。この場合、棚板本体Ｔ１の裏面にナットを埋設しておき、このナットに、貫通孔Ｂ１ａを挿入したボルトを締結するようにしてもよい。以上の手順により、ディスプレイ支持具Ｂと棚板部Ｔとを一体的に設けた本発明のディスプレイ支持装置Ｘとなる。
【００２６】
次に、このディスプレイ支持装置ＸをデスクトップパネルＰに取り付ける手順について図２を参照して説明する。
【００２７】
先ず、棚板部Ｔの各ブラケットＴ２の上向き係合爪Ｔ２２ａをデスクトップパネルＰに形成したフック孔Ｐａから選択した同じ高さ位置にあるフック孔Ｐａにそれぞれ挿入し、この上向き係合爪Ｔ２２ａをフック孔Ｐａの上縁に引っ掛け（同図パターンで示す（ａ）参照）且つこの引っ掛けた部位を支点として棚板部ＴをブラケットＴ２の各下向き係合爪Ｔ２２ｂがデスクトップパネルＰに近付く方向に回動させることにより、経過的に各下向き係合爪Ｔ２２ｂがそれぞれ対応する位置にあるフック孔Ｐａに順次入り込む（同図（ｂ）、（ｃ）参照）。次いで、各係合爪Ｔ２２ａ、Ｔ２２ｂをそれぞれフック孔Ｐａに挿入した状態で棚板部Ｔをその自重により下方に移動させることにより、各係合爪Ｔ２２ａ、Ｔ２２ｂがそれぞれフック孔Ｐａに係合し、棚板部ＴがデスクトップパネルＰに安定した状態で取り付けられる。このような手順を経て棚板部ＴをデスクトップパネルＰに取り付けることによって、ディスプレイ支持具Ｂも棚板部Ｔを介してデスクトップパネルＰに間接的に取り付けられることになる。
【００２８】
このようにしてデスクトップパネルＰに取り付けたディスプレイ支持装置Ｘは、アーム部Ｂ３の前述した機能を利用してベースＢ１に対するディスプレイ支持部Ｂ２の相対位置や相対角度を調整することにより、ディスプレイ支持部Ｂ２に取り付けたディスプレイＬを、棚板本体Ｔ１の前面側で起立させた起立姿勢と、棚板本体Ｔ１の裏面に対向し得る倒伏姿勢との間で姿勢変更可能に且つ首振り動作可能に支持している。
【００２９】
また、前述したディスプレイ支持装置ＸをデスクトップパネルＰに取り付ける手順とは逆の手順を経ることより、ディスプレイ支持装置ＸをデスクトップパネルＰから取り外すことができるとともに、各ブラケットＴ２の上向き係合爪Ｔ２２ａを前記フック孔Ｐａとは異なる高さ位置にあるフック孔Ｐａに挿入し、引き続き前述した手順を経ることにより、棚板本体Ｔ１に支持されたディスプレイ支持具ＢのデスクトップパネルＰに対する取付高さ位置を変更することができる。
【００３０】
このように、本実施形態に係るディスプレイ支持装置Ｘは、デスクトップパネルＰに設けたフック孔Ｐａを利用して棚板部ＴをデスクＤに付帯させ、この棚板部Ｔにディスプレイ支持具Ｂを取り付けているため、デスクトップパネルＰにディスプレイ支持具Ｂ専用の取付部を別途設ける必要がなく、既存のディスクトップパネルＰを用いてディスプレイ支持装置ＸをデスクＤに簡単にセットすることができる。すなわち、本発明に係るディスプレイ支持装置Ｘは、ディスプレイ支持部Ｂを取り付けるために特別仕様のデスクトップパネルを別途用意（購入）することもなく、汎用性が高い上、導入時のコストも低く抑えることができ、しかも、棚板部ＴをデスクトップパネルＰに取り付ける従来の取付構造をそのまま採用することができるため、ディスプレイ支持装置Ｘ自体の取付作業も極めて簡単に行なうことが可能である。
【００３１】
特に、ブラケットＴ２を、デスクトップパネルＰの高さ方向に沿って所定のピッチで複数形成したフック孔Ｐａの何れかに選択的に取り付けることにより棚板本体Ｔ１に支持されたディスプレイ支持具ＢのデスクトップパネルＰに対する高さ位置を変更可能に構成しているため、従来より周知の取付構造を利用してデスクトップパネルＰに対する棚板部Ｔの高さ位置を変更することにより、デスクトップパネルＰに対するディスプレイ支持具Ｂの取付高さ位置を容易に変更することができ、使用者の目線高さに柔軟に対応する実用性に優れたものとなる。このように、ディスプレイ支持具ＢのデスクトップパネルＰに対する高さ位置を変更可能に設定するためにデスクトップパネルＰ又はディスプレイ支持具Ｂに高さ位置調節用の専用部材を設けることなく、部品点数の削減及び構造の簡略化を有効に図ることができる。
【００３２】
また、本実施形態において、棚板本体Ｔ１の裏面に棚板本体Ｔ１の巾方向に沿って一又は複数の溝を形成する一方、ディスプレイ支持具Ｂの基端部に溝に係合する一又は複数の係合爪を設け、この係合爪を溝に係合させた状態でディスプレイ支持具Ｂを溝に沿ってスライド移動させることにより、ディスプレイ支持具Ｂの棚板に対する取付位置を変更可能にすれば（図示省略）、簡素な構造でありながら、ディスプレイ支持具Ｂのスライド移動を実現することができ、ディスプレイＬの使用時／不使用時等に対応させて適宜ディスプレイＬをスライド移動させることにより、デスクＤ上のスペースを有効活用することが可能である。
【００３３】
なお、第１実施形態におけるデスクＤ、デスクトップパネルＰ又は棚板部Ｔは一例に過ぎず、上記以外の構造を有するものであっても勿論構わない。
【００３４】
例えば、デスクとして、個人用タイプ或いはミーティング用タイプ等種々のタイプのものを採用してもよく、また、デスクトップパネルは、デスクの反使用端側に設置されるタイプの他、デスクのサイドに設置されるいわゆるサイドパネルであってもよい。
【００３５】
さらに、棚板部は、ディスプレイ支持具が取付可能なものであればよく、棚板本体の形状や奥行き寸法等を適宜設計変更しても構わない。また、棚板部のブラケットに設けた係合爪は、デスクトップパネルに設けたフック孔に係合可能なものであればよく、形状や個数も特に限定されるものではない。
【００３６】
棚板部を取り付けるためにデスクトップパネルに設けたオプション部材取付部として、フック孔の他、凹状の溝や一部を切り欠いてなるスリットを採用してもよい。
【００３７】
次に本発明の他の実施形態（第２実施形態）について、図面を参照して説明する。
【００３８】
〈第２実施形態〉
第２実施形態では、図５及び図６に示すように、本発明に係るディスプレイ支持装置Ｘを用いて収納庫Ｓの背面部にディスプレイＬを取り付けている。
【００３９】
先ず、収納庫Ｓについて簡単に説明する。
【００４０】
この収納庫Ｓは、書庫やロッカー等として使用される既存の収納庫Ｓと同様の構成を有する矩形筐体状のものであり、左右に離間して設けた一対の側板Ｓ１と、両側板Ｓ１の上端部間及び下端部間に設けた天板Ｓ２及び底板Ｓ３とを篭形に組み上げ、これら各板Ｓ１、Ｓ２、Ｓ３によって包囲された収納空間の背面開口部を閉止する背板Ｓ４及び前面開口部を開閉する扉体Ｓ５をそれぞれ着脱可能に取り付けた汎用のものである。なお、収納庫Ｓは、床上に配置される台枠Ｓ６に載置されている。
【００４１】
収納空間の背面開口部を閉止する位置、すなわち収納庫Ｓの背面部には、側板Ｓ１や天板Ｓ２等と同様に例えば板金加工により形成した通常タイプの背板、又は表面を布等のカバー部材によって被覆した化粧板タイプの背板の何れかを選択して取り付けることが可能であり、本実施形態では、化粧板タイプの背板（以下「化粧板部Ｓ４」とする）を採用している。
【００４２】
この化粧板部Ｓ４は、収納空間の背面開口部に対応する外形寸法を有した概略矩形板状の基材を布製のカバー部材で被覆した化粧板本体Ｓ４１と、この化粧板本体Ｓ４１を収納庫Ｓ本体の背面側に固定するための固定具とからなり、本実施形態では、固定具として、側板Ｓ１の後縁部に設けたオプション部材取付部たるナットに螺着可能なボルトを用いている（図示省略）。
【００４３】
しかして、本実施形態におけるディスプレイ支持装置Ｘは、この化粧板部Ｓ４と、前記第１実施形態において説明したディスプレイ支持具Ｂとを備えたものである。なお、ディスプレイ支持具Ｂは、前述したものと略同様の構成を有するものであるため、詳細な説明は省略する。
【００４４】
ディスプレイ支持具Ｂの化粧板部Ｓ４への取り付けは、ディスプレイ支持具ＢのベースＢ１を化粧板本体Ｓ４１の上端部位に当接させ、この状態でベースＢ１の四隅近傍部位に形成した貫通孔Ｂ１ａに挿入したネジを化粧板本体Ｓ４１に螺着することにより行う。この場合、化粧板本体Ｓ４１の裏面にナットを埋設しておき、このナットに、貫通孔Ｂ１ａを挿入したボルトを締結するようにしてもよい。以上の手順により、ディスプレイ支持具Ｂと化粧板部Ｓ４とを一体的に設けた本発明のディスプレイ支持装置Ｘとなる。
【００４５】
このようなディスプレイ支持装置Ｘは、化粧板部Ｓ４の化粧板本体Ｓ４１を収納庫Ｓの背面部に配し、側板Ｓ１の後端部に設けたナットに化粧板部Ｓ４のボルトを螺着することにより収納庫Ｓの背面部に取り付けられる。この取付状態において、ディスプレイ支持具Ｂが、収納庫Ｓの背面部からさらに後方に突出する姿勢を取り、アーム部Ｂ３の前述した機能を利用してベースＢ１に対するディスプレイ支持部Ｂ２の相対位置や相対角度を調整することにより、ディスプレイ支持部Ｂ２に取り付けたディスプレイＬを首振り動作及びチルト動作可能に支持している。
【００４６】
このように、本実施形態にディスプレイ支持装置Ｘは、前記第１実施形態に係るディスプレイＬ装置と略同様の効果として、化粧板部Ｓ４を収納庫Ｓに設けたナットを利用して収納庫Ｓの背面部に取り付けることにより、ディスプレイ支持装置Ｘ全体を収納庫Ｓの背面側に簡単にセットすることができる点、及び収納庫Ｓ自体にディスプレイ支持具Ｂを取り付けるための専用の取付部を設ける必要が一切なく、背板（化粧板部Ｓ４）を着脱可能に構成した既存の収納庫Ｓにディスプレイ支持具Ｂを取り付けることが可能となり、広い汎用性を付与することができる点等が挙げられる。
【００４７】
また、本実施形態特有の効果として特筆すべき点は、図５に想像線で示すように、この収納庫Ｓの背面側にデスクＤ´を設置することにより、従来は執務スペースとして活用することが困難であった収納庫Ｓの背面側を執務スペースとして有効活用することができるという点である。このようなディスプレイ支持装置Ｘを取り付けた収納庫Ｓを、オフィス等において居住空間の中央部等、居住空間の周縁部以外に設置した場合、収納庫Ｓの背面側のスペースを執務スペース又はミーティングスペースとして活用することができ、スペース効率の向上を図ることができる。なお、収納庫Ｓの背面側に設置するデスクＤ´は使用態様に対応させて適宜変更すればよい。
【００４８】
また、第２実施形態における収納庫Ｓ又は化粧板部Ｓ４は一例であり、上記以外の構造を有するものであっても構わない。
【００４９】
例えば、収納庫は、背板が所定の操作により着脱可能に取り付けることができる仕様であればよく、背板を取り付けるためのオプション部材取付部として、ナットの他、ネジ孔や、或いは背板に設けた係合爪又は爪受け部の何れか一方に係合可能な他方（爪受け部又は係合爪）を採用してもよい。
【００５０】
また、化粧板部の具体的な形状や構成も取り付ける収納庫に対応させて適宜変更してもよい。また、上記実施形態では、化粧板部のみを収納庫の開口背面部に配した態様を示したが、これに限らず、例えば、側板や天板等と同様に例えば板金加工により形成した通常タイプの背板を取り付け、この通常タイプの背板を被覆するように化粧板部を配する態様であってもよい。
【００５１】
なお、第１実施形態及び第２実施形態において示したディスプレイ支持具Ｂも一例に過ぎず、上記以外の構造を有するものであってもよい。例えば、アーム部を２つのアーム部材から構成したが、アーム部材の個数を使用態様に対応させて適宜増減してもよい。また、複数のアーム部材を設けた場合には複数の関節が形成されることとなり、これら複数の関節でディスプレイ支持部に支持させたディスプレイの前後移動・上下移動・水平移動・チルト動作・回転動作（９０度回転）等のうち一又は複数の動作を実現可能に設定すればより使い勝手に優れたものとなる。他方、構造簡素化の観点からはこのようなアーム部を一切設けないタイプのディスプレイ支持具であってもよい。また、ディスプレイ支持具のオプション部材（棚板部、化粧板部）に対する取付位置も適宜変更して構わない。
【００５２】
また、ディスプレイ支持具をオプション部材たる棚板部若しくは化粧板部、又はディスプレイに取り付ける（固着する）手段は、ネジやボルトを用いて螺着する態様の他、適宜の取付（固着）手段を採用してもとよい。
【００５３】
その他、各部の具体的構成についても上記実施形態に限られるものではなく、本発明の趣旨を逸脱しない範囲で種々変形が可能である。
【図面の簡単な説明】
【００５４】
【図１】本発明の第１実施形態に係るディスプレイ支持装置を適用したデスクを模式的に示す側面図。
【図２】同実施形態における棚板部の着脱操作説明図。
【図３】同実施形態におけるディスプレイ支持具の全体斜視図。
【図４】同実施形態におけるディスプレイ支持具を図３のＡ矢視図及びＡ´矢視図。
【図５】本発明の第２実施形態に係るディスプレイ支持装置を適用した収納庫を模式的に示す側面図。
【図６】同実施形態における収納庫を模式的に示す背面図。
【符号の説明】
【００５５】
Ｂ…ディスプレイ支持具
Ｂ２…ディスプレイ支持部
Ｄ…家具（デスク）
Ｄ１…デスク本体
Ｌ…ディスプレイ
Ｐ…デスクトップパネル
Ｐａ…オプション部材取付部（フック孔）
Ｓ…家具（収納庫）
Ｓ４…オプション部材（化粧板部）
Ｓ４１…化粧板本体
Ｔ…オプション部材（棚板部）
Ｔ１…棚板本体
Ｔ２…ブラケット
Ｔ２２ａ、Ｔ２２ｂ…係合爪（上向き係合爪、下向き係合爪）
Ｘ…ディスプレイ支持装置
【図１】
2006204705.tif 000003
【図２】
2006204705.tif 000004
【図３】
2006204705.tif 000005
【図４】
2006204705.tif 000006
【図５】
2006204705.tif 000007
【図６】
2006204705.tif 000008